【手続補正書】
【提出日】平成20年9月2日(2008.9.2)
【手続補正１】
【補正対象書類名】特許請求の範囲
【補正対象項目名】全文
【補正方法】変更
【補正の内容】
【特許請求の範囲】
【請求項１】
物品を載置する載置台と、該載置台上に載置された物品の上方に配置される天板と、該天板を支持する支持部材とを有する梱包装置において、
前記天板が、天板の湾曲を防止する補強構造を有することを特徴とする梱包装置。
【請求項２】
前記補強構造が前記天板面に設けられた複数の補強溝であることを特徴とする、請求項１に記載の梱包装置。
【請求項３】
前記補強溝として、前記天板の外辺に対して平行に設けられた平行溝を有することを特徴とする、請求項２に記載の梱包装置。
【請求項４】
前記補強溝として、前記天板の外辺に対して斜めに設けられた斜行溝を有することを特徴とする、請求項２又は３に記載の梱包装置。
【請求項５】
前記斜行溝が、前記天板の角部を対角線上に結んで設けられていることを特徴とする、請求項４に記載の梱包装置。
【請求項６】
前記補強溝と補強溝の交差部に補強部が設けられていることを特徴とする、請求項２〜５のいずれか１項に記載の梱包装置。
【請求項７】
前記補強溝の所定の位置に補強壁が設けられていることを特徴とする、請求項２〜６のいずれか１項に記載の梱包装置。
【請求項８】
前記天板は、天板中央部が天板周辺部から上方に凸状に高くなっている、絞り形状に構成されていることを特徴とする、請求項１に記載の梱包装置。
【請求項９】
前記天板を前記支持部材にロックするロック機構を有し、
前記ロック機構は、前記天板を前記支持部材に対してロックするロック位置と前記天板の前記支持部材に対するロックを解除するロック解除位置とに移動可能なスライド部材を有し、
前記スライド部材が天板に支持されて設けられているとともに、
前記スライド部材が、前記天板面に設けられた補強構造としての補強溝内に配置され、前記補強溝が前記スライド部材を移動可能に保持するケーシングを兼ねることを特徴とする、請求項１に記載の梱包装置。
【請求項１０】
前記天板を前記支持部材にロックするロック機構を有し、
前記ロック機構は、前記天板を前記支持部材に対してロックするロック位置と前記天板の前記支持部材に対するロックを解除するロック解除位置とに移動可能なスライド部材を有し、
前記スライド部材が天板の上面から露出するように支持されて設けられるとともに、
前記天板の上方から前記スライド部材を操作可能なことを特徴とする、請求項１に記載の梱包装置。
【請求項１１】
前記スライド部材は、底面の幅よりも上面の幅が広いテーパ形状あるいは略半円形状の断面形状を有することを特徴とする、請求項９又は１０に記載の梱包装置。
【請求項１２】
前記天板は、複数の天板同士を積み重ね可能に構成されていることを特徴とする、請求項１に記載の梱包装置。
【請求項１３】
前記補強構造と係合する係合部が前記天板の裏面に設けられていることを特徴とする、請求項１２に記載の梱包装置。
【請求項１４】
前記係合部が、天板の左右方向の移動を規制する第１係止部と天板の前後方向の移動を規制する第２係止部とを有することを特徴とする、請求項１３に記載の梱包装置。
【請求項１５】
天板同士を積み重ねたときに上側の天板の下部が接触する下側の天板面の少なくとも一部に、非接触部よりも摩擦係数が高くなるような処理が施されていることを特徴とする、請求項１２〜１４のいずれか１項に記載の梱包装置。
【請求項１６】
前記天板上に前記載置台を積載可能に設けられていることを特徴とする、請求項１に記載の梱包装置。
【請求項１７】
前記天板上に積載した前記載置台の位置決めを行なう位置決め部が前記天板の上面に設けられていることを特徴とする、請求項１６に記載の梱包装置。
【請求項１８】
前記位置決め部は、前記天板上に積載した前記載置台の前後左右方向の位置決めを行なうことを特徴とする、請求項１７に記載の梱包装置。
【請求項１９】
前記天板の外周部内面に補強リブが設けられ、該補強リブに前記天板又は前記載置台の上面角部に係合する係合部が形成されていることを特徴とする、請求項１２又は１６に記載の梱包装置。
【請求項２０】
情報を記録可能な記録媒体が前記天板に取り付けられており、
前記記録媒体は、当該記録媒体を保持するとともに前記天板に対して着脱可能な保持部材を介して前記天板に取り付けられていることを特徴とする、請求項１に記載の梱包装置。
【請求項２１】
前記保持部材が、前記天板裏面に設けられた補強部材に支持されていることを特徴とする、請求項２０に記載の梱包装置。
【請求項２２】
前記保持部材は、当該保持部材の一部が、前記記録媒体を保持する保持位置と保持を解除する解除位置とに移動可能に設けられていることを特徴とする、請求項２０に記載の梱包装置。
【請求項２３】
前記保持部材が樹脂材料により形成され、該樹脂材料の弾性により前記保持部材の一部が前記保持位置と前記解除位置とに移動可能なことを特徴とする、請求項２２に記載の梱包装置。
【手続補正２】
【補正対象書類名】明細書
【補正対象項目名】００１５
【補正方法】変更
【補正の内容】
【００１５】
また、前記天板を前記支持部材にロックするロック機構を有し、前記ロック機構は、前記天板を前記支持部材に対してロックするロック位置と前記天板の前記支持部材に対するロックを解除するロック解除位置とに移動可能なスライド部材を有し、前記スライド部材が天板に支持されて設けられているとともに、前記スライド部材が、前記天板面に設けられた補強構造としての補強溝内に配置され、前記補強溝が前記スライド部材を移動可能に保持するケーシングを兼ねると好ましい。
【手続補正３】
【補正対象書類名】明細書
【補正対象項目名】００１６
【補正方法】変更
【補正の内容】
【００１６】
また、前記天板を前記支持部材にロックするロック機構を有し、前記ロック機構は、前記天板を前記支持部材に対してロックするロック位置と前記天板の前記支持部材に対するロックを解除するロック解除位置とに移動可能なスライド部材を有し、前記スライド部材が天板の上面から露出するように支持されて設けられるとともに、前記天板の上方から前記スライド部材を操作可能であると好ましい。
【手続補正４】
【補正対象書類名】明細書
【補正対象項目名】００１７
【補正方法】変更
【補正の内容】
【００１７】
また、前記スライド部材は、底面の幅よりも上面の幅が広いテーパ形状あるいは略半円形状の断面形状を有すると好ましい。
【手続補正５】
【補正対象書類名】明細書
【補正対象項目名】００１９
【補正方法】変更
【補正の内容】
【００１９】
また、前記係合部が、天板の左右方向の移動を規制する第１係止部と天板の前後方向の移動を規制する第２係止部とを有すると好ましい。
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】変更
【補正の内容】
【００２４】
また、情報を記録可能な記録媒体が前記天板に取り付けられていると好ましい。
また、前記記録媒体は、当該記録媒体を保持するとともに前記天板に対して着脱可能な保持部材を介して前記天板に取り付けられていると好ましい。
【手続補正８】
【補正対象書類名】明細書
【補正対象項目名】００２６
【補正方法】変更
【補正の内容】
【００２６】
また、前記保持部材が樹脂材料により形成され、該樹脂材料の弾性により前記保持部材の一部が前記保持位置と前記解除位置とに移動可能であるとと好ましい。
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】削除
【補正の内容】
【手続補正１１】
【補正対象書類名】明細書
【補正対象項目名】００３５
【補正方法】変更
【補正の内容】
【００３５】
請求項９の構成により、天板を支持部材にロックするロック機構を有するので、天板が支持部材から外れてしまうことを防止できる。
また、ロック機構は、天板をロックするロック位置とロックを解除するロック解除位置とに移動可能なスライド部材を有し、そのスライド部材が天板に支持されて設けられているので、天板と支持部材とのロック及びロック解除を梱包装置上方から容易に行なうことができる。
また、スライド部材が補強溝内に配置され、補強溝がスライド部材のケーシングを兼ねるので、部材コスト及び製造コストを抑えることができる。
【手続補正１２】
【補正対象書類名】明細書
【補正対象項目名】００３６
【補正方法】変更
【補正の内容】
【００３６】
請求項１０の構成により、天板の上方からスライド部材を操作することができる。
【手続補正１３】
【補正対象書類名】明細書
【補正対象項目名】００３７
【補正方法】変更
【補正の内容】
【００３７】
請求項１１の構成により、スライド部材はテーパ形状あるいは略半円形状の断面形状を有するので、スライド部材の取り付け作業が容易となる。
【手続補正１４】
【補正対象書類名】明細書
【補正対象項目名】００３８
【補正方法】変更
【補正の内容】
【００３８】
請求項１２の構成により、複数の天板同士を積み重ね可能に構成されているので、回収容積や保管スペースを節約し、輸送コストや保管コストを低減させることができる。
【手続補正１５】
【補正対象書類名】明細書
【補正対象項目名】００３９
【補正方法】変更
【補正の内容】
【００３９】
請求項１３の構成により、補強構造と係合する係合部が天板の裏面に設けられているので、複数の天板同士を積み重ねて運搬するときに天板同士がずれることを防止できる。
【手続補正１６】
【補正対象書類名】明細書
【補正対象項目名】００４０
【補正方法】削除
【補正の内容】
【手続補正１７】
【補正対象書類名】明細書
【補正対象項目名】００４１
【補正方法】変更
【補正の内容】
【００４１】
請求項１４の構成により、係合部が天板の左右方向の移動を規制する第１係止部と天板の前後方向の移動を規制する第２係止部とを有するので、水平方向の振動に対して確実に天板の位置が固定される。
【手続補正１８】
【補正対象書類名】明細書
【補正対象項目名】００４２
【補正方法】変更
【補正の内容】
【００４２】
請求項１５の構成により、天板同士を積み重ねたときに上側の天板の下部が接触する下側の天板面の少なくとも一部に、非接触部よりも摩擦係数が高くなるような処理が施されているので、運搬時の振動に対して天板が大きくズレることを防止できる。
【手続補正１９】
【補正対象書類名】明細書
【補正対象項目名】００４３
【補正方法】変更
【補正の内容】
【００４３】
請求項１６の構成により、天板上に載置台を積載可能に設けられているので、梱包装置を積み重ねることが可能となり、倉庫等における保管効率及び輸送効率を高めることができる。また、天板と載置台とを重ねて保管することもできる。
【手続補正２０】
【補正対象書類名】明細書
【補正対象項目名】００４４
【補正方法】変更
【補正の内容】
【００４４】
請求項１７の構成により、天板上に積載した載置台の位置決めを行なう位置決め部が天板の上面に設けられているので、天板上に載置台を積載した場合にズレることがなく、天板上に載置台を確実に積載することができる。
【手続補正２１】
【補正対象書類名】明細書
【補正対象項目名】００４５
【補正方法】変更
【補正の内容】
【００４５】
請求項１８の構成により、位置決め部は天板上に積載した載置台の前後左右方向の位置決めを行なうので、載置台の前後左右方向のズレを防止し、天板上に載置台を確実に積載することができる。
【手続補正２２】
【補正対象書類名】明細書
【補正対象項目名】００４６
【補正方法】変更
【補正の内容】
【００４６】
請求項１９の構成により、天板の外周部内面に補強リブが設けられ、該補強リブに天板又は載置台の上面角部に係合する係合部が形成されているので、天板同士あるいは天板と載置台とを確実に積載することができる。
【手続補正２３】
【補正対象書類名】明細書
【補正対象項目名】００４７
【補正方法】削除
【補正の内容】
【手続補正２４】
【補正対象書類名】明細書
【補正対象項目名】００４８
【補正方法】削除
【補正の内容】
【手続補正２５】
【補正対象書類名】明細書
【補正対象項目名】００４９
【補正方法】変更
【補正の内容】
【００４９】
請求項２０の構成により、情報を記録可能な記録媒体が天板に取り付けられているので、種々の情報を梱包装置に担持させることが可能となり、梱包装置の管理運用に役立てることができる。
また、記録媒体は当該記録媒体を保持するとともに天板に対して着脱可能な保持部材を介して天板に取り付けられているので、天板からの記録媒体の着脱が容易になる。また、保持部材により記録媒体が保護される。
【手続補正２６】
【補正対象書類名】明細書
【補正対象項目名】００５０
【補正方法】削除
【補正の内容】
【手続補正２７】
【補正対象書類名】明細書
【補正対象項目名】００５１
【補正方法】変更
【補正の内容】
【００５１】
請求項２１の構成により、保持部材が天板裏面に設けられた補強部材に支持されているので、補強部材を利用して保持部材を支持することができ、天板の構成を簡略化することができる。
【手続補正２８】
【補正対象書類名】明細書
【補正対象項目名】００５２
【補正方法】変更
【補正の内容】
【００５２】
請求項２２の構成により、保持部材は、当該保持部材の一部が、記録媒体を保持する保持位置と保持を解除する解除位置とに移動可能に設けられているので、保持部材に対する記録媒体の着脱を容易に行なうことができる。
【手続補正２９】
【補正対象書類名】明細書
【補正対象項目名】００５３
【補正方法】変更
【補正の内容】
【００５３】
請求項２３の構成により、保持部材が樹脂材料により形成され、該樹脂材料の弾性により保持部材の一部が保持位置と解除位置とに移動可能なので、簡単な構成で低コストに、記録媒体の着脱を容易に行なうことができる。
【手続補正３０】
【補正対象書類名】明細書
【補正対象項目名】００５４
【補正方法】削除
【補正の内容】
【手続補正３１】
【補正対象書類名】明細書
【補正対象項目名】００５５
【補正方法】削除
【補正の内容】
【手続補正３２】
【補正対象書類名】明細書
【補正対象項目名】００５６
【補正方法】削除
【補正の内容】